(57)【要約】【課題】  正常でない音を正常な音と区別して記憶すること。【解決手段】  ＩＣレコーダは、外部から入力される音を記憶する記憶部７３と、記憶部７３が音を記憶する状態に基づいて、記憶部７３により記憶される音が正常か否かを判断する判断部７７と、判断部７７により記憶部７３により記憶される音が正常でないと判断される場合、記憶部７３により記憶される音に正常でないことを示す識別情報を関連付ける関連付け部７５と、を備える。【選択図】        図３
2012159588.tif 000002
【特許請求の範囲】
【請求項１】
外部から入力される音を記憶する記憶手段と、
前記記憶手段が音を記憶する状態に基づいて、前記記憶手段により記憶される音が正常か否かを判断する判断手段と、
前記判断手段により前記記憶手段により記憶される音が正常でないと判断される場合、前記記憶手段により記憶される音に正常でないことを示す識別情報を関連付ける関連付け手段と、を備えた記憶装置。
【請求項２】
外部から入力される音を受け付ける音受付手段を、さらに備え、
前記判断手段は、前記音受付手段が受け付けた音を、予め定められた基準値に基づいて判断する第１解析手段を含む、請求項１に記載の記憶装置。
【請求項３】
前記音受付手段は、音を集音し、出力するマイクロホンを含み、
前記第１解析手段は、前記マイクロホンから出力される音の入力レベルを、予め定められた設定感度と比較する感度比較手段を含む、請求項２に記載の記憶装置。
【請求項４】
前記判断手段は、前記記憶手段により記憶される音を解析する第２解析手段を含む、請求項１〜３のいずれかに記載の記憶装置。
【請求項５】
前記第２解析手段は、前記記憶手段により記憶される音の時間を所定の期間と比較する比較手段を含む、請求項４に記載の記憶装置。
【請求項６】
前記第２解析手段は、前記記憶手段により記憶される音が所定時間以上の無音である期間を含むか否かを判断する判断手段を含む、請求項４または５に記載の記憶装置。
【請求項７】
外部から入力される音を記憶するステップと、
前記記憶するステップにおいて音を記憶する状態に基づいて、前記記憶するステップにおいて記憶される音が正常か否かを判断するステップと、
前記判断するステップにより前記記憶するステップにおいて記憶される音が正常でないと判断される場合、前記記憶するステップにおいて記憶される音に正常でないことを示す識別情報を関連付けるステップと、を含む記憶方法。
【請求項８】
外部から入力される音を記憶するステップと、
前記記憶するステップにおいて音を記憶する状態に基づいて、前記記憶するステップにおいて記憶される音が正常か否かを判断するステップと、
前記判断するステップにより前記記憶するステップにおいて記憶される音が正常でないと判断される場合、前記記憶するステップにおいて記憶される音に正常でないことを示す識別情報を関連付けるステップと、をコンピュータに実行させる記憶プログラム。
【発明の詳細な説明】
【技術分野】
【０００１】
この発明は、記憶装置、記憶方法および記憶プログラムに関し、特に、予約された時間にデータを記憶する機能を備えた記憶装置、その記憶装置で実行される記憶方法および記憶プログラムに関する。
【背景技術】
【０００２】
ＩＣレコーダで代表される記憶装置は、それに装着されるフラッシュメモリの記憶可能な容量が増大しており、長時間の音を記憶することができるようになっている。ＩＣレコーダによって記憶される音は、ファイル名が付された音データとして記憶される。ファイル名が有する情報は、年月日、時刻等の情報を有するが、ユーザが任意に情報を与えることができない。このため、記憶された音データのうちからユーザが所望の音データを抽出するためには、音を記憶した年月日および時刻を覚えていない場合には、１つずつ順に音データを再生して確認しなければならなかった。また、記憶される音の中には、ユーザの操作ミスによって記憶された音データ、または、音質が劣悪な状態で記憶された音データが存在する場合があり、それらの音データが消去されることなく蓄積されると、消去するべき音データと、正常に記憶された音データとをファイル名だけから区別することが非常に困難になってしまう。
【０００３】
特開平８−１１６３８４号公報には、符号化された音声情報を受信する際に、音声情報に伝送途中でノイズが混入した場合に、受信された音声情報を記憶しないようにしたファクシミリ装置が記載されている。この従来のファクシミリ装置は、伝送される音声情報のフレームチェックシーケンスの判定により、該受信した音声情報にエラーがあるか否かを判定するものである。
【０００４】
しかしながら、ノイズが混入した場合に音データを録音しないようにしたのでは、ＩＣレコーダにおいてユーザによる録音指示に反して、音データを記憶しないことになる。このため、ユーザは故障と判別が困難になるといった問題がある。
【特許文献１】特開平８−１１６３８４号公報
【発明の概要】
【発明が解決しようとする課題】
【０００５】
この発明は上述した問題点を解決するためになされたもので、この発明の目的の１つは、正常でない音を正常な音と区別して記憶することが可能な記憶装置を提供することである。
【０００６】
この発明の他の目的は、正常でない音を正常な音と区別して記憶することが可能な記憶方法および記憶プログラムを提供することである。
【課題を解決するための手段】
【０００７】
上述した目的を達成するためにこの発明のある局面によれば、記憶装置は、外部から入力される音を記憶する記憶手段と、記憶手段が音を記憶する状態に基づいて、記憶手段により記憶される音が正常か否かを判断する判断手段と、判断手段により記憶手段により記憶される音が正常でないと判断される場合、記憶手段により記憶される音に正常でないことを示す識別情報を関連付ける関連付け手段と、を備える。
【０００８】
この局面に従えば、外部から入力される音が記憶される状態に基づいて、記憶される音が正常か否かが判断され、記憶される音が正常でないと判断される場合、記憶される音に正常でないことを示す識別情報が関連付けられる。このため、正常でない音に識別情報が関連付けられるので、正常でない音を正常な音と区別して記憶することが可能な記憶装置を提供することができる。
【０００９】
好ましくは、外部から入力される音を受け付ける音受付手段を、さらに備え、判断手段は、音受付手段が受け付けた音を、予め定められた基準値に基づいて判断する第１解析手段を含む。
【００１０】
この局面に従えば、外部から入力される音が予め定められた基準値に基づいて、記憶される音が正常か否かが判断されるので、音受付手段の性能の範囲内で受け付けられた音を正常と判断することができる。
【００１１】
好ましくは、音受付手段は、音を集音し、出力するマイクロホンを含み、第１解析手段は、マイクロホンから出力される音の入力レベルを、予め定められた設定感度と比較する感度比較手段を含む。
【００１２】
この局面に従えば、音を集音し、出力するマイクロホンから出力される音の入力レベルを、予め定められた設定感度と比較するので、マイクロホンの設定感度の範囲外の音を正常でない音と判断することができる。
【００１３】
好ましくは、判断手段は、記憶手段により記憶される音を解析する第２解析手段を含む。
【００１４】
この局面によれば、記憶される音を解析することによって、記憶される音が正常か否かが判断される。
【００１５】
好ましくは、第２解析手段は、記憶手段により記憶される音の時間を所定の期間と比較する比較手段を含む。
【００１６】
この局面に従えば、所定の期間より短い音を正常でない音と判断することができる。
【００１７】
好ましくは、第２解析手段は、記憶手段により記憶される音が所定時間以上の無音である期間を含むか否かを判断する判断手段を含む。
【００１８】
この局面に従えば、所定時間以上の無音である期間を含む音を正常でない音と判断することができる。
【００１９】
この発明の他の局面によれば、記憶方法は、外部から入力される音を記憶するステップと、記憶するステップにおいて音を記憶する状態に基づいて、記憶するステップにおいて記憶される音が正常か否かを判断するステップと、判断するステップにより記憶するステップにおいて記憶される音が正常でないと判断される場合、記憶するステップにおいて記憶される音に正常でないことを示す識別情報を関連付けるステップと、を含む。
【００２０】
この局面に従えば、正常でない音を正常な音と区別して記憶することが可能な記憶方法を提供することができる。
【００２１】
この発明のさらに他の局面によれば、記憶プログラムは、外部から入力される音を記憶するステップと、記憶するステップにおいて音を記憶する状態に基づいて、記憶するステップにおいて記憶される音が正常か否かを判断するステップと、判断するステップにより記憶するステップにおいて記憶される音が正常でないと判断される場合、記憶するステップにおいて記憶される音に正常でないことを示す識別情報を関連付けるステップと、をコンピュータに実行させる。
【００２２】
この局面に従えば、正常でない音を正常な音と区別して記憶することが可能な記憶プログラムを提供することができる。
【図面の簡単な説明】
【００２３】
【図１】ＩＣレコーダの平面図である。
【図２】ＩＣレコーダのハードウェア構成の概要を示す機能ブロック図である。
【図３】ＩＣレコーダが備えるＣＰＵが有する機能の一例をＥＥＰＲＯＭに記憶されるデータとともに示すブロック図である。
【図４】選択画面の一例を示す図である。
【図５】一括削除画面の一例を示す図である。
【図６】一括削除後の一括削除画面の一例を示す図である。
【図７】録音処理の流れの一例を示すフローチャートである。
【図８】一括消去処理の流れの一例を示すフローチャートである。
【発明を実施するための形態】
【００２４】
以下、本発明の実施の形態について図面を参照して説明する。以下の説明では同一の部品には同一の符号を付してある。それらの名称および機能も同じである。したがってそれらについての詳細な説明は繰返さない。
【００２５】
図１は、ＩＣレコーダの平面図である。図１を参照して、ＩＣレコーダ１は、本体部３と、本体部３の表面に配置された液晶表示装置（ＬＣＤ）５５と、本体部３の表面および側面に配置された複数のボタンを含む操作部５とを含む。ユーザは、ＬＣＤ５５に表示された画面を見ながら操作部５を操作することができる。なお、ＬＣＤ５５に代えて、有機ＥＬＤ（Ｅｌｅｃｔｒｏ  Ｌｕｍｉｎｅｓｃｅｎｃｅ  Ｄｉｓｐｌａｙ）等のディスプレイを用いるようにしてもよい。
【００２６】
操作部５は、切換スイッチ１７と、リピートボタン７と、録音ボタン９と、停止ボタン１１と、決定ボタン１３と、コントロールボタン１５と、予約一覧ボタン１２と、編集ボタン１８と、一括消去ボタン１９と、を含む。リピートボタン７、録音ボタン９、停止ボタン１１、決定ボタン１３、コントロールボタン１５および予約一覧ボタン１２は、本体部３の表面に配置され、切換スイッチ１７、編集ボタン１８および一括消去ボタン１９は、本体部３の側面に配置される。コントロールボタン１５は、上ボタン１５Ａと、下ボタン１５Ｂと、右ボタン１５Ｃと、左ボタン１５Ｄとを含む。例えば、ユーザは上ボタン１５Ａ、下ボタン１５Ｂ、左ボタン１５Ｄおよび右ボタン１５Ｃのいずれかを操作することによりＬＣＤ５５に表示されたカーソルを上下左右のいずれかに移動させることができる。具体的には、ユーザが上ボタン１５Ａを押下すれば、カーソルは上方向に移動し、ユーザが下ボタン１５Ｂを押下すれば、カーソルは下方向に移動し、ユーザが左ボタン１５Ｄを押下すれば、カーソルは左方向に移動し、ユーザが右ボタン１５Ｃを押下すれば、カーソルは右方向に移動する。
【００２７】
リピートボタン７と、録音ボタン９と、停止ボタン１１と、決定ボタン１３と、コントロールボタン１５と、予約一覧ボタン１２と、編集ボタン１８と、一括消去ボタン１９とは、ハードキーであり、通常はＯＦＦであるが、ユーザにより押下されるとＯＮになる。切換スイッチ１７は、スライドスイッチであり、第１の状態と第２の状態とのいずれか一方に状態が切り換わる。ここでは、切換スイッチ１７は、ユーザが音の入力先を定めるパラメータを設定するために用いられる。具体的には、ＩＣレコーダ１は、マイクロホン３３（図２参照）と外部のマイクロホン等が接続されるライン入力端子４９（図２参照）とのいずれか一方から音を入力することが可能であり、切換スイッチ１７がユーザにより第１の状態に切り換えられている間はマイクロホン３３から入力される音を選択するパラメータとして「マイク入力」が入力先を定めるパラメータに設定され、切換スイッチ１７がユーザにより第２の状態に切り換えられている間はライン入力端子４９から入力される音を選択するパラメータとして「ライン入力」が入力先を定めるパラメータに設定される。
【００２８】
図２は、ＩＣレコーダのハードウェア構成の概要を示す機能ブロック図である。図２を参照して、ＩＣレコーダ１は、ＩＣレコーダの全体を制御するための中央演算装置（ＣＰＵ）１１と、それぞれがＣＰＵ２１とバス３７で接続された、コーデック３１と、エンコーダ／デコーダ３５と、ＡＭ／ＦＭチューナ３９と、ＲＡＭ（Ｒａｎｄｏｍ  Ａｃｃｅｓｓ  Ｍｅｍｏｒｙ）４１と、スピーカ４３と、ヘッドホン端子４５と、外部メモリコントローラ４７と、ライン入力端子４９と、シリアルインターフェース（Ｉ／Ｆ）５１と、ＥＥＰＲＯＭ（Ｅｌｅｃｔｒｉｃａｌｌｙ  ＥｒａｓａＢｌｅ  ａｎｄ  ＰｒｏｇｒａｍｍａＢｌｅ  Ｒｅａｄ  Ｏｎｌｙ  Ｍｅｍｏｒｙ）５３と、ＬＣＤ５５と、を含む。
【００２９】
ＲＡＭ４１は、ＣＰＵ２１の作業領域として用いられる。ＥＥＰＲＯＭ５３は、ＣＰＵ２１が実行するプログラム、そのプログラムを実行するためのパラメータ等を記憶するとともに、圧縮された音声信号等を不揮発的に記憶する。ＥＥＰＲＯＭ５３に記憶されるデータの詳細は後述する。外部メモリコントローラ４７は、メモリカード４７Ａが接続される。ＣＰＵ２１は、外部メモリコントローラ４７を介して、それに接続されたメモリカード４７Ａにアクセスが可能である。
【００３０】
ＡＭ／ＦＭチューナ３９は、ラジオチューナであり、アンテナと接続される。ＡＭ／ＦＭチューナ３９は、アンテナが受信した電波から所定の周波数の電波を抽出し、所定の周波数の電波をアナログの音声信号に変換する。そして、音声信号をスピーカ４３および／またはコーデック３１に出力する。なお、ここではラジオ信号がアナログの場合を例に説明するが、デジタルのラジオ信号を受信するようにしてもよい。この場合には、デジタル信号をエンコーダ／デコーダ３５で復号し、復号された音声信号をコーデック３１でアナログ信号に変換するようにすればよい。
【００３１】
シリアルインターフェース５１は、シリアル通信可能な装置、例えば、パーソナルコンピュータと接続される。ＣＰＵ２１は、シリアルインターフェース５１を介して、それに接続された装置と通信が可能である。ヘッドホン端子４５は、ヘッドホンまたはイヤホン等が接続され、それらにアナログの音声信号を出力する。スピーカ４３は、本体部３のＬＣＤ５５が配置される表面とは逆の裏面に設置され、アナログの音声信号が入力され、音声を出力する。
【００３２】
コーデック３１は、マイクロホン３３が接続され、切換スイッチ１７が第１の状態に切り換えられている間に、録音ボタン９が押下されるとマイクロホン３３からアナログの音声信号が入力され、切換スイッチ１７が第２の状態に切り換えられている間に録音ボタン９が押下されるとライン入力端子４９からアナログの音声信号が入力される。また、コーデック３１は、ＡＭ／ＦＭチューナ３９からアナログの音声信号が入力される。コーデック３１は、入力されるアナログの音声信号をデジタル信号に変換し、所定の処理をした後に、デジタル処理後の音声信号を出力し、ＲＡＭ４１に一旦格納する。
【００３３】
エンコーダ／デコーダ３５は、ＣＰＵ２１により制御され、ＲＡＭ４１に格納されている音声信号を符号化し、音データを生成する。また、エンコーダ／デコーダ３５は、ＣＰＵ２１により制御され、音データを復号し、音声信号を生成する。
【００３４】
ＣＰＵ２１は、コーデック３１から出力される音声信号を、エンコーダ／デコーダ３５に符号化させ、符号化された音データをＥＥＰＲＯＭ５３または外部メモリコントローラ４７に接続されたメモリカード４７Ａに記憶する。
【００３５】
また、ＣＰＵ２１は、ＥＥＰＲＯＭ５３または外部メモリコントローラ４７に接続されたメモリカード４７Ａに記憶された音データを読み出して、エンコーダ／デコーダ３５に復号させ、復号された音声信号をコーデック３１にアナログ信号に変換させ、アナログの音声信号を、スピーカ４３またはヘッドホン端子４５に接続されたヘッドホンに出力する。
【００３６】
本実施の形態におけるＩＣレコーダ１は、ＥＥＰＲＯＭ５３または、外部メモリコントローラ４７に装着されたメモリカード４７Ａに音データを記憶する。ＥＥＰＲＯＭ５３は、フォルダと呼ばれる記憶領域を複数有しており、音データを複数のフォルダのいずれかに分類して記憶する。音データは、音源の違い、または、予約情報に従って録音された音データであるか否かによって、複数のフォルダのいずれに記憶されるかが決定される。ユーザが、複数のフォルダのいずれかを指定すれば、指定されたフォルダに分類された音データの音識別情報（ファイル名）を一覧表示するフォルダ画面が表示される。また、ユーザが、メモリカード４７Ａを指定すれば、メモリカード４７Ａに記憶された音データの音識別情報（ファイル名）を一覧表示するフォルダ画面が表示される。ユーザは、フォルダ画面に一覧表示された音識別情報のうちから１つを指定することにより、音データを再生することができる。
【００３７】
ＣＰＵ２１１は、操作部５が備える一括消去ボタン１９が押下されたことを検出すると、フォルダ一覧画面をＬＣＤ５５に表示する。フォルダ一覧画面は、ＥＥＰＲＯＭ５３が有する複数の領域それぞれの領域識別情報（フォルダ名）を選択可能に表示する画面である。
【００３８】
図３は、ＩＣレコーダが備えるＣＰＵが有する機能の一例をＥＥＰＲＯＭに記憶されるデータとともに示すブロック図である。図３に示す機能は、ＣＰＵ２１が、ＥＥＰＲＯＭ５３、またはメモリカード４７Ａに記憶された記憶プログラムを実行することにより、ＣＰＵ２１に形成される機能である。
【００３９】
図３を参照して、ＣＰＵ２１は、音を受け付ける音受付部７１と、受け付けられた音を記憶する記憶部７３と、記憶された音が正常か否かを判断する判断部７７と、不良データを示す識別情報を関連付ける関連付け部７５と、不良データを抽出する不良データ抽出部８３と、保護部８５と、再生部８７と、不良データを消去する一括削除部８９と、を含む。
【００４０】
音受付部７１は、記憶対象となる音を受け付ける。音受付部７１は、録音設定としてマイクロホン３３で集音された音を記憶する設定がされている場合、マイクロホン３３が出力する音を受け付ける。また、録音設定としてライン入力端子４９から入力される音を記憶する設定がされている場合、音受付部７１は、ライン入力端子４９から入力される音を受け付ける。さらに、録音設定として、ＡＭ／ＦＭチューナ３９が出力する音を記憶する設定がされている場合、音受付部７１は、ＡＭ／ＦＭチューナ３９が出力する音を受け付ける。音受付部７１は、受け付けられた音を記憶部７３および判断部７７に出力する。
【００４１】
記憶部７３は、録音処理を実行する。録音処理は、外部から入力される音をメモリに記憶する処理である。ここでは記憶部７３は、音受付部７１から入力される音を、ＥＥＰＲＯＭ５３またはメモリカード４７Ａに記憶する。ＥＥＰＲＯＭ５３およびメモリカード４７Ａのいずれに記憶するかは、ユーザによる設定に従う。ここでは、説明のためにＥＥＰＲＯＭ５３に記憶する場合を例に説明する。記憶部７３は、録音設定としてマイクロホン３３で集音された音を記憶する設定がされている場合、コーデック３１を制御して、マイクロホン３３から入力されるアナログの音声信号をデジタル信号に変換し、所定の処理をした後に、デジタル処理後の音声信号をＲＡＭ４１に格納させる。また、記憶部７３は、録音設定としてライン入力端子４９から入力される音を記憶する設定がされている場合、コーデック３１を制御して、ライン入力端子４９から入力されるアナログの音声信号をデジタル信号に変換し、所定の処理をした後に、デジタル処理後の音声信号をＲＡＭ４１に格納させる。また、記憶部７３は、録音設定として、ＡＭ／ＦＭチューナ３９が出力する音を記憶する設定がされている場合、コーデック３１を制御して、ＡＭ／ＦＭチューナ３９から入力されるアナログの音声信号をデジタル信号に変換し、所定の処理をした後に、デジタル処理後の音声信号をＲＡＭ４１に格納させる。記憶部７３は、エンコーダ／デコーダ３５を制御して、ＲＡＭ４１に格納された音声信号を符号化した音声データをＥＥＰＲＯＭ５３に記憶させる。
【００４２】
判断部７７は、記憶部７３が音を記憶する状態に基づいて、音が正常か否かを判断し、判断結果を関連付け部７５に出力する。判断部７７は、記憶前解析部（第１解析部）７９と、記憶後解析部（第２解析部）８１と、を含む。
【００４３】
記憶前解析部７９は、記憶部７３が音を記憶する前の状態を解析する。具体的には、記憶部７３が記憶する音を解析する。記憶前解析部７９は、録音設定としてマイクロホン３３で集音された音を記憶する設定がされている場合、マイクロホン３３から入力されるアナログの音声信号の入力レベルを、マイクロホン３３に対して予め定められた設定感度と比較する。記憶前解析部７９は、マイクロホン３３から入力されるアナログの音声信号の全期間に渡る入力レベルが、マイクロホン３３に対して予め定められた設定感度の範囲内であれば、記憶部７３により記憶される音データ９１は正常と判断し、判断結果として感度正常信号を関連付け部７５に出力する。一方、記憶前解析部７９は、マイクロホン３３から入力されるアナログの音声信号のうちに、その入力レベルがマイクロホン３３に対して予め定められた設定感度の範囲外となる部分が１つでも存在すれば、記憶部７３により記憶される音データ９１は正常ではない、換言すれば異常と判断し、判断結果として感度不良信号を関連付け部７５に出力する。
【００４４】
また、記憶前解析部７９は、マイクロホン３３から入力されるアナログの音声信号の入力レベルを、予め定められたしきい値Ｔ１と比較する。予め定められたしきい値Ｔ１は、音声信号が無音であると判別できる最も大きな値である。記憶前解析部７９は、マイクロホン３３から入力されるアナログの音声信号が、その入力レベルが予め定められたしきい値Ｔ１を超えない期間の最大値が所定時間ＴＭより短ければ音声信号が正常であると判断し、判断結果として無音正常信号を関連付け部７５に出力する。一方、記憶前解析部７９は、マイクロホン３３から入力されるアナログの音声信号が、その入力レベルが予め定められたしきい値Ｔ１を超えない期間の最大値が所定時間ＴＭ以上ならば無音期間を含み、音声信号が異常と判断し、判断結果として無音不良信号を関連付け部７５に出力する。
【００４５】
記憶前解析部７９は、録音設定としてライン入力端子４９から入力される音を記憶する設定がされている場合、ライン入力端子４９から入力されるアナログの音声信号の入力レベルを、ライン入力端子４９に対して予め定められた設定感度と比較する。記憶前解析部７９は、ライン入力端子４９から入力されるアナログの音声信号の全期間に渡る入力レベルが、ライン入力端子４９に対して予め定められた設定感度の範囲内であれば、記憶部７３により記憶される音データ９１は正常と判断し、判断結果として感度正常信号を関連付け部７５に出力する。一方、記憶前解析部７９は、ライン入力端子４９から入力されるアナログの音声信号のうちに、その入力レベルがライン入力端子４９に対して予め定められた設定感度の範囲外となる部分が１つでも存在すれば、記憶部７３により記憶される音データ９１は異常と判断し、判断結果として感度不良信号を関連付け部７５に出力する。
【００４６】
また、記憶前解析部７９は、ライン入力端子４９から入力されるアナログの音声信号の入力レベルを、予め定められたしきい値Ｔ１と比較する。予め定められたしきい値Ｔ１は、音声信号が無音であると判別できる最大値である。記憶前解析部７９は、ライン入力端子４９から入力されるアナログの音声信号が、その入力レベルが予め定められたしきい値Ｔ１を超えない期間の最大値が所定時間ＴＭより短ければ音声信号が正常であると判断し、判断結果として無音正常信号を関連付け部７５に出力する。一方、記憶前解析部７９は、ライン入力端子４９から入力されるアナログの音声信号が、その入力レベルが予め定められたしきい値Ｔ１を超えない期間の最大値が所定時間ＴＭ以上ならば無音期間を含み、音声信号が異常と判断し、判断結果として無音不良信号を関連付け部７５に出力する。
【００４７】
記憶前解析部７９は、録音設定としてＡＭ／ＦＭチューナ３９が出力する音を記憶する設定がされている場合、ＡＭ／ＦＭチューナ３９から入力されるアナログの音声信号の入力レベルを、ＡＭ／ＦＭチューナ３９に対して予め定められた設定感度と比較する。記憶前解析部７９は、ＡＭ／ＦＭチューナ３９から入力されるアナログの音声信号の全期間に渡る入力レベルが、ＡＭ／ＦＭチューナ３９に対して予め定められた設定感度の範囲内であれば、記憶部７３により記憶される音データ９１は正常と判断し、判断結果として感度正常信号を関連付け部７５に出力する。一方、記憶前解析部７９は、ＡＭ／ＦＭチューナ３９から入力されるアナログの音声信号のうちに、その入力レベルがＡＭ／ＦＭチューナ３９に対して予め定められた所定の感度条件を満たさない場合は、記憶部７３により記憶される音データ９１は異常と判断し、判断結果として感度不良信号を関連付け部７５に出力する。なお、所定の感度条件を満たさない場合の一例としては、入力レベルがＡＭ／ＦＭチューナ３９に対して予め定められた設定感度の範囲外となる部分が１つでも存在する場合が挙げられる。
【００４８】
また、記憶前解析部７９は、ＡＭ／ＦＭチューナ３９から入力されるアナログの音声信号の入力レベルを、予め定められたしきい値Ｔ１と比較する。予め定められたしきい値Ｔ１は、音声信号が無音であると判別できる最大値である。記憶前解析部７９は、ＡＭ／ＦＭチューナ３９から入力されるアナログの音声信号が、その入力レベルが予め定められたしきい値Ｔ１を超えない期間の最大値が所定時間ＴＭより短ければ音声信号が正常であると判断し、判断結果として無音正常信号を関連付け部７５に出力する。一方、記憶前解析部７９は、ＡＭ／ＦＭチューナ３９から入力されるアナログの音声信号が、その入力レベルが予め定められたしきい値Ｔ１を超えない期間の最大値が所定時間ＴＭ以上ならば無音期間を含み、音声信号が異常と判断し、判断結果として無音不良信号を関連付け部７５に出力する。
【００４９】
記憶後解析部８１は、記憶部７３が音を記憶した後の状態を解析する。具体的には、記憶部７３が記憶した音データ９１を解析する。記憶後解析部８１は、音データ９１の録音時間が所定のしきい値Ｔ２より長ければ、正常と判断し、判断結果として録音時間正常信号を関連付け部７５に出力する。記憶後解析部８１は、音データ９１の録音時間が所定のしきい値Ｔ２以下ならば、異常と判断し、判断結果として録音時間不良信号を関連付け部７５に出力する。
【００５０】
また、記憶後解析部８１は、音データ９１の無音期間が所定のしきい値Ｔ３より短ければ、正常と判断し、判断結果として記憶正常信号を関連付け部７５に出力する。一方、記憶後解析部８１は、音データ９１の無音期間が所定のしきい値Ｔ３以上ならば、異常と判断し、判断結果として記憶不良信号を関連付け部７５に出力する。例えば、外部メモリコントローラ４７に装着されるメモリカード４７Ａの通信速度が遅い場合、外部メモリコントローラ４７からメモリカード４７Ａに対して送信した音データのすべてが受信されない場合がある。この場合、外部メモリコントローラ４７から送信される音データのうちメモリカード４７Ａで受信されなかった部分は、メモリカード４７Ａに記憶される音データにおいては、無音期間を示すデータとされる。
【００５１】
関連付け部７５は、記憶前解析部７９および記憶後解析部８１それぞれから判断結果が入力され、入力される判断結果に基づいて、記憶部７３により記憶された音データ９１に、正常でないことを示す識別情報を関連付ける。識別情報は、ここでは、感度不良フラグ、無音不良フラグ、録音時間不良フラグおよび記憶不良フラグを含む。関連付け部７５には、記憶前解析部７９からは、感度正常信号および感度不良信号のいずれかと、無音正常信号および無音不良信号のいずれかと、が入力される。記憶後解析部８１からは、録音時間正常信号および録音時間不良信号のいずれかと、記憶正常信号および記憶不良信号のいずれかと、が入力される。
【００５２】
関連付け部７５は、感度不良信号、無音不良信号、録音時間不良信号および記憶不良信号の少なくとも１つが入力されると、感度不良信号、無音不良信号、録音時間不良信号および記憶不良信号のうち入力された不良信号を音データ９１に関連付ける。具体的には、関連付け部７５は、記憶前解析部７９から感度不良信号が入力される場合、音データ９１に感度不良フラグを関連付け、記憶前解析部７９から無音不良信号が入力される場合、音データ９１に無音不良フラグを関連付け、記憶後解析部８１から録音時間不良信号が入力される場合、音データ９１に録音時間不良フラグを関連付け、記憶後解析部８１から記憶不良信号が入力される場合、音データ９１に記憶不良フラグを関連付ける。
【００５３】
保護部８５は、記憶部７３による音データ９１の記憶が終了すると、ＬＣＤ５５に、選択画面を表示する。選択画面は、ユーザによる音データ９１を保護するか否かの指示を受け付ける画面である。保護部８５は、ユーザにより、音データ９１を保護する指示が受け付けられる場合、音データに保護フラグを関連付ける。
【００５４】
感度不良フラグ、無音不良フラグ、録音時間不良フラグ、記憶不良フラグおよび保護フラグと、音データ９１との関連付けは、音データ９１のファイル名と、感度不良フラグ、無音不良フラグ、録音時間不良フラグ、記憶不良フラグおよび保護フラグとを関連付けたテーブルを生成して、ＥＥＰＲＯＭ５３に記憶することにより行なう。なお、音データ９１のファイル名の予め定められた部分に、感度不良フラグ、無音不良フラグ、録音時間不良フラグ、記憶不良フラグおよび保護フラグの関連付けの有無を記述するようにしてもよい。
【００５５】
図４は、選択画面の一例を示す図である。図４を参照して、選択画面は、「ファイルに保護フラグを登録しますが？」のメッセージと、「はい」の文字が表されたボタンと、「いいえ」の文字が表されたボタンとを含む。「はい」の文字が表されたボタンと、「いいえ」の文字が表されたボタンは、ＧＵＩ（Ｇｒａｐｈｉｃａｌ  Ｕｓｅｒ  Ｉｎｔｅｒｆａｃｅ）であり、ユーザが、コントロールキー１５を操作して選択されることにより、ＣＰＵ２１によって所定の動作が実行される。具体的には、図３に戻って、保護部８５は、選択画面をＬＣＤ５５に表示した状態で、ユーザが、コントロールキー１５を操作して、「はい」の文字が表されたボタンを選択した状態で、決定ボタン１３を押下すると、ユーザによる音データ９１を保護する指示を受け付け、音データ９１を保護するための処理と、選択画面を消去する処理とを実行する。また、保護部８５は、選択画面をＬＣＤ５５に表示した状態で、ユーザが、コントロールキー１５を操作して「いいえ」の文字が表されたボタンを選択した状態で、決定ボタン１３を押下すると、ユーザによる音データ９１を保護しない指示を受け付け、音データ９１を保護するための処理を実行することなく、選択画面を消去する処理を実行する。
【００５６】
不良データ抽出部８３は、ＥＥＰＲＯＭ５３に記憶された音データ９１のうちから、感度不良フラグ、無音不良フラグ、録音時間不良フラグおよび記憶不良フラグのうちユーザにより指定された少なくとも１つが関連付けられた音データを抽出する。不良データ抽出部８３は、抽出された音データのファイル名を含む、一括削除画面をＬＣＤ５５に表示する。
【００５７】
図５は、一括削除画面の一例を示す図である。図５に示す一括削除画面は、ユーザにより「感度不良」が指定された場合に表示される一括削除画面を示している。図５を参照して、一括削除画面２１１は、ＥＥＰＲＯＭ５３に記憶された音データ９１のうち、感度不良フラグが関連付けられた６つの音データ９１それぞれのファイル名が一覧表示する画面である。６つのファイル名それぞれの右側に、「視聴」の文字を含むボタン２１５、２１５Ａ〜２１５Ｄが表示される。ユーザがコントロールボタン１５を操作することにより、６つのファイル名のいずれかを選択することができる。図では、第３行目のファイル名が選択されていることを、ハッチングで示している。
【００５８】
図３に戻って、保護部８５は、一括削除画面２１１がＬＣＤ５５に表示されている状態で、編集ボタン１８が指示されると、選択画面をＬＣＤ５５に表示する。そして、ユーザによる音データ９１を保護するか否かの指示を受け付ける場合、一括削除画面２１１において選択されているファイル名の音データ９１に保護フラグを関連付ける。
【００５９】
再生部８７は、一括削除画面２１１がＬＣＤ５５に表示されている状態で、ボタン２１５、２１５Ａ〜２１５Ｄのいずれかが指示されると、指示されたボタンに対応する音データ９１を再生する。図４においては、第３行目のファイル名が選択されており、この状態で、ユーザが、右ボタン１５Ｃを押下すれば、選択されているファイル名の右側のボタン２１５Ｂが指示される。再生部８７は、一括削除画面２１１がＬＣＤ５５に表示された状態で、第３行目のファイル名に対応する音データ９１を再生する。選択されているファイル名を表示した状態で、そのファイル名に対応する音データ９１を再生する。したがって、ユーザは、その音データ９１を削除する場合は、保護フラグを解除し、音データ９１を削除しない場合は、選択画面を呼び出して保護フラグを関連付けるようにすればよい。
【００６０】
一括削除部８９は、一括削除画面２１１がＬＣＤ５５に表示されている状態で、一括削除ボタン１９が押下されると、不良データ抽出部８３により抽出された音データ９１のうち、保護フラグが関連付けられていない音データ９１を、ＥＥＰＲＯＭ５３から削除する。
【００６１】
図６は、一括削除後の一括削除画面の一例を示す図である。図６を参照して、図５に示した一括削除画面２１１がＬＣＤ５５に表示されている状態で、一括削除ボタン１９が押下された後に表示される一括削除画面を示している。図６に示す一括削除画面２２１は、図５に示した一括削除画面２１１において、保護フラグが関連付けられた第１、第３および第６行目のファイル名のみを含む。
【００６２】
図７は、録音処理の流れの一例を示すフローチャートである。録音処理は、ＩＣレコーダ１が備えるＣＰＵ２１が、ＥＥＰＲＯＭ５３、またはメモリカード４７Ａに記憶された記憶プログラムを実行することにより、ＣＰＵ２１により実行される処理である。図７を参照して、ＣＰＵ２１は、録音を開始する指示が入力されたか否かを判断する。ユーザにより録音ボタン９が指示される場合、または、現在時刻が予約情報により設定された録音開始時刻になった場合に、録音を開始する指示が入力される。録音を開始する指示が入力されるまで待機状態となり（ステップＳ０１でＮＯ）、録音を開始する指示が入力されると（ステップＳ０１でＹＥＳ）、処理をステップＳ０２に進める。
【００６３】
ステップＳ０２においては、音の入力レベルを検出する。録音設定としてマイクロホン３３から入力される音を記憶する設定がされている場合、マイクロホン３３から入力されるアナログの音声信号の入力レベルを検出し、録音設定としてライン入力端子４９から入力される音を記憶する設定がされている場合、ライン入力端子４９から入力されるアナログの音声信号の入力レベルを検出し、録音設定としてＡＭ／ＦＭチューナ３９が出力する音を記憶する設定がされている場合、ＡＭ／ＦＭチューナ３９から入力されるアナログの音声信号の入力レベルを検出する。
【００６４】
次のステップＳ０３においては、ステップＳ０２において検出された入力レベルが、設定感度の範囲内か否かを判断する。入力レベルが設定感度の範囲内ならばステップＳ０４をスキップして処理をステップＳ０５に進めるが、入力レベルが設定感度の範囲外ならば処理をステップＳ０４に進める。録音設定としてマイクロホン３３から入力される音を記憶する設定がされている場合、マイクロホン３３から入力されるアナログの音声信号の入力レベルが、マイクロホン３３に対して予め定められた設定感度の範囲内か否かを判断する。録音設定としてライン入力端子４９から入力される音を記憶する設定がされている場合、ライン入力端子４９から入力されるアナログの音声信号の入力レベルが、ライン入力端子４９に対して予め定められた設定感度の範囲内か否かを判断する。録音設定としてＡＭ／ＦＭチューナ３９から入力される音を記憶する設定がされている場合、ＡＭ／ＦＭチューナ３９から入力されるアナログの音声信号の入力レベルが、ＡＭ／ＦＭチューナ３９に対して予め定められた設定感度の範囲内か否かを判断する。ステップＳ０４においては、音の状態を感度不良に設定する。
【００６５】
ステップＳ０５においては、ステップＳ０２において検出された入力レベルがしきい値Ｔ１以下である期間が所定時間ＴＭ以上継続する期間が存在するか否かを判断する。入力レベルがしきい値Ｔ１以下である期間が所定時間ＴＭ以上継続するならば処理をステップＳ０６に進め、そうでなければステップＳ０６をスキップして、処理をステップＳ０７に進める。しきい値Ｔ１は、無音であると判別できる最も大きな入力レベルの値である。ステップＳ０６においては、音の状態を無音不良に設定する。
【００６６】
ステップＳ０７のいては、録音が終了したか否かを判断する。ユーザにより停止ボタン１１が指示された場合、または、ステップＳ０１において現在時刻が予約情報により設定された録音開始時刻になることにより録音を開始した場合は、現在時刻が予約情報により設定された録音終了時刻になった場合に、録音が終了したと判断する。録音が終了したと判断する場合、ＥＥＰＲＯＭ５３に音データを記憶し、処理をステップＳ０８に進めるが、そうでなければ処理をステップＳ０２に戻す。
【００６７】
ステップＳ０８においては、図４に示した選択画面２０１をＬＣＤ５５に表示する。そして、保護フラグをＯＮに設定する指示が受け付けられたか否かを判断する（ステップＳ０９）。ユーザが選択画面２０１において「はい」が表されたボタンを指示したならば、保護フラグをＯＮに設定する指示を受け付ける。保護フラグをＯＮに設定する指示を受け付けたならば処理をステップＳ１０に進めるが、そうでなければステップＳ１０をスキップして処理をステップＳ１１に進める。ステップＳ１０においては、ステップＳ０７においてＥＥＰＲＯＭ５３に記憶された音データ９１に保護フラグを関連付け、処理をステップＳ１１に進める。
【００６８】
ステップＳ１１においては、音の状態が感度不良に設定されているか否かを判断する。感度不良に設定されているならば、処理をステップＳ１２に進めるが、そうでなければステップＳ１２をスキップして処理をステップＳ１３に進める。ステップＳ１２においては、ステップＳ０７においてＥＥＰＲＯＭ５３に記憶された音データ９１に感度不良フラグを関連付け、処理をステップＳ１３に進める。
【００６９】
ステップＳ１３においては、音の状態が無音不良に設定されているか否かを判断する。無音不良に設定されているならば、処理をステップＳ１４に進めるが、そうでなければステップＳ１４をスキップして処理をステップＳ１５に進める。ステップＳ１４においては、ステップＳ０７においてＥＥＰＲＯＭ５３に記憶された音データ９１に無音不良フラグを関連付け、処理をステップＳ１５に進める。
【００７０】
ステップＳ１５においては、ステップＳ０７においてＥＥＰＲＯＭ５３に記憶された音データ９１の録音時間が所定の時間Ｔ２以下か否かを判断する。録音時間が所定の時間Ｔ２以下ならば、処理をステップＳ１６に進めるが、そうでなければステップＳ１６をスキップして処理をステップＳ１７に進める。ステップＳ１６においては、ステップＳ０７においてＥＥＰＲＯＭ５３に記憶された音データ９１に録音時間不良フラグを関連付け、処理をステップＳ１７に進める。
【００７１】
ステップＳ１７においては、ステップＳ０７においてＥＥＰＲＯＭ５３に記憶された音データ９１が所定の期間Ｔ３以上の無音期間を含むか否かを判断する。所定の期間Ｔ３以上の無音期間を含むならば、処理をステップＳ１８に進めるが、そうでなければステップＳ１８をスキップして処理を終了する。ステップＳ１８においては、ステップＳ０７においてＥＥＰＲＯＭ５３に記憶された音データ９１に記憶不良フラグを関連付け、処理を終了する。
【００７２】
図８は、一括消去処理の流れの一例を示すフローチャートである。一括消去処理は、ＩＣレコーダ１が備えるＣＰＵ２１が、ＥＥＰＲＯＭ５３、またはメモリカード４７Ａに記憶された記憶プログラムを実行することにより、ＣＰＵ２１により実行される処理である。ここでは、図８を参照して、ＣＰＵ２１は、不良フラグが関連付けられた音データを抽出する（ステップＳ２１）。不良フラグは、感度不良フラグ、無音不良フラグ、録音時間不良フラグおよび記憶不良フラグの少なくとも１つであり、ユーザにより選択された１以上を含む。ここでは、感度不良フラグがユーザにより選択された場合を例に説明する。したがって、ステップＳ２１においては、ＥＥＰＲＯＭ５３に記憶されている音データ９１のうちから感度不良フラグが関連付けられている音データ９１を抽出する。
【００７３】
ステップＳ２２においては、ステップＳ２１において抽出された音データ９１のファイル名を含む一括削除画面をＬＣＤ５５に表示する。ここでは、図５に示した一括削除画面が表示される場合を例に説明する。
【００７４】
そして、音データを選択する。一括削除画面に含まれる１以上のファイル名のうち、ユーザにより選択されたファイル名の音データを処理対象に選択する。ファイル名の選択は、デフォルトでは第１行目のファイル名が選択され、ユーザがコントロールキー１５を操作することにより任意のファイル名が選択される。
【００７５】
次のステップＳ２４においては、視聴ボタンが指示されたか否かを判断する。コントロールキー１５の右キー１５Ｃが押下されると、視聴ボタンが指示されたと判断する。視聴ボタンが指示されたならば処理をステップＳ２５に進めるが、そうでなければ処理をステップＳ２７に進める。ステップＳ２５においては、処理対象に選択されている音データ９１を再生する。この場合、ＬＣＤ５５にはステップＳ２２において表示された一括削除画面が表示された状態であり、処理対象に選択されている音データ９１のファイル名は、反転表示された状態である。したがって、ユーザは、再生されている音のファイル名を確認することができる。
【００７６】
次のステップＳ２６においては、停止ボタン１１が押下されたか否かを判断する。停止ボタン１１が押下されたならば処理をステップＳ２７に進めるが、そうでなければ処理をステップＳ２５に戻す。
【００７７】
ステップＳ２７においては、編集ボタン１８が押下されたか否かを判断する、編集ボタンが押下されたならば処理をステップＳ２８に進めるが、そうでなければ処理をステップＳ３１に進める。ステップＳ２８においては、選択画面をＬＣＤ５５に表示する。そして、保護フラグをＯＮに設定する指示が受け付けられたか否かを判断する（ステップＳ２９）。ユーザが選択画面２０１において「はい」が表されたボタンを指示したならば、保護フラグをＯＮに設定する指示を受け付ける。保護フラグをＯＮに設定する指示を受け付けたならば処理をステップＳ３０に進めるが、そうでなければステップＳ３０をスキップして処理をステップＳ３１に進める。ステップＳ３０においては、処理対象に選択されている音データ９１に保護フラグを関連付け、処理をステップＳ３１に進める。
【００７８】
ステップＳ３１においては、次の音データが処理対象に選択されたか否かを判断する。ユーザがコントロールキー１５を操作することにより、次の音データが処理対象に選択される。処理対象となる音データが変更されたならば処理をステップＳ２４に戻すが、そうでなければ処理をステップＳ３２に進める。
【００７９】
ステップＳ３２においては、一括消去指示を受け付けたか否かを判断する。ユーザによる一括消去ボタン１９を押下する操作を検出すると、一括消去指示を受け付ける。一括消去指示を受け付けたならば処理をステップＳ３３に進めるが、そうでなければ処理をステップＳ３４に進める。ステップＳ３４においては、終了指示を受け付けたか否かを判断する。ユーザによる予約一覧ボタン１２を押下する操作を検出すると、終了指示を受け付ける。終了指示を受け付けたならば処理を終了するが、そうでなければ処理をステップＳ２４に戻す。
【００８０】
ステップＳ３３においては、ＥＥＰＲＯＭ５３に記憶されている音データ９１うちから、ステップＳ２１において抽出された音データ９１であって、保護フラグが関連付けられていない音データ９１をＥＥＰＲＯＭ５３から消去し、処理を終了する。
【００８１】
以上説明したように、本実施の形態におけるＩＣレコーダ１は、外部から入力される音が記憶される状態に基づいて、記憶される音が正常か否かを判断し、記憶される音が正常でないと判断される場合、記憶される音に正常でないことを示す識別情報を関連付ける。このため、正常でない音に識別情報が関連付けられるので、正常でない音を正常な音と区別して記憶することができる。
【００８２】
また、マイクロホン３３、ライン入力端子４９およびＡＭ／ＦＭチューナ３９のいずれかから入力される音が、それらに対して予め定められた設定感度の範囲内ならば正常と判断し、範囲外ならば正常でないと判断する。このため、マイクロホン３３、ライン入力端子４９およびＡＭ／ＦＭチューナ３９の性能の範囲内の音で音が入力されたか否かに基づいて、音が正常か否かを判断するので、正常でない音を正確に判断することができる。マイクロホン３３、ライン入力端子４９およびＡＭ／ＦＭチューナ３９それぞれの設定感度の範囲外の音が入力されると、割れた音が入力されたり、無音の音が入力されたりする。
【００８３】
また、ＥＥＰＲＯＭ５３またはメモリカード４７Ａに記憶された音を解析することによって、記憶される音が正常か否かを判断する。例えば、ＥＥＰＲＯＭ５３またはメモリカード４７Ａに記憶された音の時間が所定の期間より短ければ正常でないと判断する。操作ミスなどにより録音される音は比較的短いからである。
【００８４】
また、ＥＥＰＲＯＭ５３またはメモリカード４７Ａに記憶された音が所定時間以上の無音である期間を含む音を正常でない音と判断する。マイクロホン３３で入力される音を記憶すべきところを、ライン入力端子４９側に切り換えスイッチ１７が切り替わっている場合、無音の音が記憶される場合がある。
【００８５】
また、メモリカード４７Ａの通信速度が、外部メモリコントローラ４７が音データを送信する通信速度よりも遅い場合に、メモリカード４７Ａに記憶される音が無音の音になる場合がある。
【００８６】
なお上述した実施の形態においては、ＩＣレコーダ１について説明したが、図７および図８に示した処理をＩＣレコーダ１に実行させる記憶方法、および、記憶方法をＩＣレコーダ１を制御するＣＰＵ２１に実行させる記憶プログラムとして発明を捉えることができるのは言うまでもない。
【００８７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８８】
＜付記＞
（１）  前記マイクロホンから出力される音が所定時間以上の無音であるか否かを判断する、請求項５に記載の記憶装置。
（２）  前記記憶手段が、前記音を正常に記憶できたか否かを判断する、請求項４に記載の記憶装置。
（３）  音を記憶可能な記憶媒体を着脱可能な外部記憶手段を、さらに備え、
前記判断手段は、前記記憶手段が、前記外部記憶手段に装着された記憶媒体に音を記憶する場合、前記記憶媒体に記憶された音が所定時間以上の無音である期間を含む否かを判断する、請求項４に記載の記憶装置。
【符号の説明】
【００８９】
１  ＩＣレコーダ、３  本体部、５  操作部、７  リピートボタン、９  録音ボタン、１１  停止ボタン、１２  予約一覧ボタン、１３  決定ボタン、１５  コントロールボタン、１５Ａ  上ボタン、１５Ｂ  下ボタン、１５Ｃ  右ボタン、１５Ｄ  左ボタン、１７  切換スイッチ、１９  リストボタン、２１  ＣＰＵ、３１  コーデック、３３  マイクロホン、３５  エンコーダ／デコーダ、３７  バス、３９  ＡＭ／ＦＭチューナ、４１  ＲＡＭ、４３  スピーカ、４５  ヘッドホン端子、４７  外部メモリコントローラ、４７Ａ  メモリカード、４９  ライン入力端子、５１  シリアルインターフェース、５３  ＥＥＰＲＯＭ、５５  ＬＣＤ、６１  予約設定部、６３  録音制御部、６５  表示制御部、６７  予約一覧表示部、６９  音一覧表示部。
【図１】
2012159588.tif 000003
【図２】
2012159588.tif 000004
【図３】
2012159588.tif 000005
【図４】
2012159588.tif 000006
【図５】
2012159588.tif 000007
【図６】
2012159588.tif 000008
【図７】
2012159588.tif 000009
【図８】
2012159588.tif 000010